(57)【要約】　　　（修正有）【課題】容易に光部品の偏波依存性、波長依存性特性の測定を行うことができる広帯域ＡＳＥ光源を提供する。【解決手段】励起光Ｌｐを発生する励起光源１１と、励起光Ｌｐを入射することでＡＳＥ光Ｌｂ，Ｌｆを発生する希土類添加光ファイバ１２と、前記希土類添加光ファイバ１２と前記励起光源１１との間に配置され、励起光ＬｐとＡＳＥ光Ｌｂ，Ｌｆを合波、分波する光合分波器１４と、前記ＡＳＥ光Ｌｂ，Ｌｆの出力端２１に光アイソレータ１６とを備えた広帯域ＡＳＥ光源１０において、前記ＡＳＥ光Ｌｂ，Ｌｆを直交する直線偏波成分に分離あるいは吸収する機能を有する光デバイス１５を備え、直線偏波光を出力する。【選択図】　図１
2004119652.tif 000002
【特許請求の範囲】
【請求項１】
励起光を発生する励起光源と、励起光を入射することでＡＳＥ光を発生する希土類添加光ファイバと、前記希土類添加光ファイバと前記励起光源との間に配置され、励起光とＡＳＥ光を合波、分波する光合分波器と、前記ＡＳＥ光の出力端に光アイソレータとを備えた広帯域ＡＳＥ光源において、前記ＡＳＥ光を直線偏波成分に分離あるいは吸収する機能を有する光デバイスを備え、直線偏波光を出力することを特徴とする広帯域ＡＳＥ光源。
【請求項２】
前記光デバイスが互いに直交する２つの偏波成分に光を分離する機能を有する分離型偏光子で構成され、分離された各偏波光を２つの異なる出力端から出力することを特徴とする請求項１に記載の広帯域ＡＳＥ光源。
【請求項３】
前記ＡＳＥ光を所定の割合で分岐させ出射する光分岐手段と、前記光分岐手段の一端に配置され、前記光分岐手段から出射されるＡＳＥ光を測定する測定手段とを備えることを特徴とする請求項１に記載の広帯域ＡＳＥ光源。
【請求項４】
広帯域ＡＳＥ光源と、ある特定の偏波成分のみを出力する機能を有する偏波アナライザと、光の波長とパワーを計測する光スペクトラムアナライザから構成される偏波分散測定装置において、前記広帯域ＡＳＥ光源は、直線偏波成分に分離あるいは吸収する機能を有する光デバイスを備え、かつ前記光デバイスは光軸を中心とする回転機構を有し、出力する直線偏波方向が可変であることを特徴とする偏波分散測定装置。
【発明の詳細な説明】
【０００１】
【発明の属する技術分野】
本発明は、希土類添加光ファイバから発生される自然放出光を光源とする広帯域ＡＳＥ光源に関するものであり、波長多重光通信システム、光計測等の光源として使用するのに適するものである。
【０００２】
【従来の技術】
希土類添加光ファイバは、ある波長範囲の励起光を入射することにより、ある波長に対して大きな利得を得ることができる特性を有する。このため、利得を有する波長帯の信号光を希土類添加光ファイバ内に透過させることで、信号光の光強度を非常に大きくすることが可能であり、現在光増幅器として光通信の分野において広く利用されている。希土類添加光ファイバに励起光を入射したとき、希土類添加光ファイバは信号光の利得を発生させると共に自然放出光も発生する。発生した自然放出光は、利得の影響を受けて光出力が増大する。このようにして発生した光は、Ａｍｐｌｉｆｉｅｄ　Ｓｐｏｎｔａｎｅｏｕｓ　Ｅｍｉｓｓｉｏｎ光（以下、ＡＳＥ光）と呼ばれている。
【０００３】
希土類添加光ファイバは、それ自身が持つ大きな利得によりＡＳＥ光出力を出力することができ、広帯域光源として使用することが可能である。近年、通信容量の拡大に伴い、広い波長帯域を用いて、異なる波長を持つ光信号を多重し、送受信する波長多重光通信システムが盛んに検討されており、このような背景のもと、希土類添加光ファイバのＡＳＥ光を用いた広帯域光源が、インコヒーレントなＷＤＭ用光源として、またＷＤＭシステム用光部品の試験用光源として使用されている。
【０００４】
図１０は従来の広帯域ＡＳＥ光源の構成を示す図である。
【０００５】
特許文献１には図１０に示す従来の広帯域ＡＳＥ光源が示されており、以下にその構成について説明する。所定波長の励起光を発生する励起光源１０１と、励起光を入射することでＡＳＥ光を発生する希土類添加光ファイバ１０２と、希土類添加光ファイバから放射されるＡＳＥ光を反射させる反射器１０３と、光合分波器１０４と、出力端子１０５から構成され、各構成部品は光ファイバ融着あるいはスプライス等により光学的に結合されている。
【０００６】
次にこの広帯域ＡＳＥ光源１００の動作について説明する。励起光源１０１から出射された励起光Ｌｐは光合分波器１０４を透過し希土類添加光ファイバ１０２へ入射される。希土類添加光ファイバは入射された励起光ＬｐによりＡＳＥ光Ｌｂ、Ｌｆを発生する。ＡＳＥ光Ｌｆは反射器１０３で反射され、希土類添加光ファイバ１０２に再入射し、ＡＳＥ光Ｌｂと共に光合分波器１０４を透過する。光合分波器１０４は励起光Ｌｐの波長の光と、ＡＳＥ光Ｌｂ、Ｌｆの波長の光を合波、あるいは分波する機能を持ち、光合分波器１０４を透過したＡＳＥ光Ｌｂ＋Ｌｆは出力端子１０５から出射する。
【０００７】
このように反射器１０３によりＡＳＥ光Ｌｆを反射させるダブルパス構成をとることにより、より大きな光を出力することができる。また、ＡＳＥ光Ｌｂは１５３０〜１５７０ｎｍの短波長帯域光で、ＡＳＥ光Ｌｆは１５７０ｎｍ以上の長波長帯域光であるため、ＡＳＥ光Ｌｆを反射させＬｂと共に出力することにより、非常に広帯域な光源が実現する。
【０００８】
また、特公平７−１１７６６９号公報には示されていないが、一般的に出力端子１０５の前段には偏波無依存型の光アイソレータが配置される。この光アイソレータの役目は、希土類添加光ファイバ１０２への反射戻り光を除去することにあり、反射戻り光による寄生発振、およびＡＳＥ光の多重反射による利得の低下を抑圧している。
【０００９】
このような広帯域ＡＳＥ光源はその広帯域性、高出力性を利用して、光ファイバや光アイソレータ等光部品の波長特性の測定用光源として、光スペクトラムアナライザと組み合わせて広く用いられている。
【００１０】
【特許文献１】
特公平７−１１７６６９号
【００１１】
【発明が解決しようとする課題】
上記従来技術に示される広帯域ＡＳＥ光源１００は、自然放出光の性質から無偏波の光を出射するため、光部品の偏波依存性特性の測定が困難であるという課題があった。
【００１２】
【課題を解決するための手段】
本発明はこれらの課題を解決するためのものであり、励起光を発生する励起光源と、励起光を入射することでＡＳＥ光を発生する希土類添加光ファイバと、前記希土類添加光ファイバと前記励起光源との間に配置され、励起光とＡＳＥ光を合波、分波する光合分波器と、前記ＡＳＥ光の出力端に光アイソレータとを備えた広帯域ＡＳＥ光源において、前記ＡＳＥ光を直交する直線偏波成分に分離あるいは吸収する機能を有する光デバイスを備え、直線偏波光を出力することを特徴とする。
【００１３】
【発明の実施の形態】
以下に実施例として、本発明による広帯域ＡＳＥ光源について説明する。
【００１４】
図１は本発明の広帯域ＡＳＥ光源１０の実施形態を示す構成図である。励起光源１１から出射された励起光Ｌｐは光合分波器１４を透過し希土類添加光ファイバ１２へ入射される。希土類添加光ファイバ１２は入射された励起光ＬｐによりＡＳＥ光Ｌｂ、Ｌｆを発生する。ＡＳＥ光Ｌｆは反射器１３で反射され、希土類添加光ファイバ１２に再入射し、ＡＳＥ光Ｌｂと共に光合分波器１４を透過する。光合分波器１４は励起光Ｌｐの波長の光と、ＡＳＥ光Ｌｂ＋Ｌｆの波長の光を合波、あるいは分波する機能を持ち、光合分波器１４を透過したＡＳＥ光Ｌｂ＋Ｌｆは光アイソレータ１６を方向に分波される。光アイソレータ１６は入射するＬｂ＋Ｌｆ光に対し順方向に配置され、希土類添加光ファイバ１２への不要な反射を除去する機能を持ち、光利得に伴う寄生発振を抑え、ＡＳＥ光の出力を増加させる機能を有する。光アイソレータ１６に入射したＡＳＥ光Ｌｂ＋ｌｆは、光アイソレータ１６を透過し、ランダムな偏波状態のまま偏光子１５に入射する。ここで偏光子１５は、ある一方向の偏波のみを透過し、他の偏波は吸収あるいは分離する機能を有する。従って、偏光子１５を透過した光は、直線偏波の光となり、出力端子２１から出射する。
【００１５】
励起光源１１は、例えば１．４８μｍ帯、または０．９８μｍ帯等の波長を有する励起光Ｌｐを発生する。また希土類添加光ファイバ１２は、希土類元素であるエルビウム等が光ファイバのコア部にドープされた一般的なドープ光ファイバであり、希土類添加光ファイバ１２内の希土類原子は、励起光Ｌｐにより励起されＡＳＥ光を発生する。ＡＳＥ光はランダムな方向に進む光の合成であり、またその偏波方向もランダムである。そしてコア内を伝搬可能なモードだけが希土類添加光ファイバ１２を伝搬していく。ここで光ファイバ１２の導波部は円形であるため偏波に対して等方であり、偏波方向はランダムのまま伝搬していく。
【００１６】
伝搬するＡＳＥ光は１．５５μｍ帯の光で、後方及び前方の両方向に存在し、後方伝搬光をＬｂ、前方伝搬光をＬｆで示す。前方伝搬光のＡＳＥ光Ｌｆは希土類添加光ファイバ１２の後半部分で再吸収され、これにより１．５８μｍ帯の誘導放出が生じる。ＡＳＥ光Ｌｆはさらに反射器１３で反射され希土類添加光ファイバ１２を逆方向に伝搬する。この反射によって、ＡＳＥ光が再吸収される確率が高くなり、１．５８μｍ帯の光の増幅が高い励起効率で行われるようになる。また、後方伝搬光のＡＳＥ光Ｌｂは再吸収される量が少ないため、その多くが１．５５μｍ帯の光のまま光合分波器１４方向に伝搬する。
【００１７】
ここで反射器１３は少なくともＡＳＥ光Ｌｆの一部あるいは全て反射する機能を有し、例えば誘電体多層膜からなる反射ミラー、光ファイバグレーティング、ファイバループミラー、あるいは光ファイバの端面からのフレネル反射等を使用することが可能である。
【００１８】
光アイソレータ１６は、偏波無依存型のインライン型光アイソレータが用いられ、１．５８μｍ帯のアイソレーションが５０ｄＢ以上の２段型Ｌバンド光アイソレータが好ましい。一般に光アイソレータ１６はレンズ、複屈折結晶、磁気光学結晶等の光学部品を空間に配置した複合型の光モジュールである。
【００１９】
図２は偏光子１５に入出射するＡＳＥ光の偏波状態を示した図である。
【００２０】
偏光子１５は吸収型の偏光子であり、１７は入射光、１８は出射光を表し、矢印は光の偏波状態を表す。また、矢印１９は偏光子１５の透過偏波方向を示す。ランダムな偏波状態のＡＳＥ入射光１７は偏光子１５に入射し、偏光子１５ではその透過偏波方向１９の成分のみが透過し、他の成分は吸収され遮断される。従ってＡＳＥ出射光１８は矢印で示される単一の直線偏波光が出射する。
【００２１】
ここで偏光子１５は、ガラス等の誘電体に銀あるいは銅などの金属粒子が分散され一方向に延伸された吸収型偏光子が用いられる。この場合、延伸された方向の偏波成分が吸収、遮断される。
【００２２】
図３は本発明の第２の実施形態を示す構成図である。
【００２３】
偏光子に分離型偏光子２５を用い、分離された直交偏波成分の光をそれぞれ２つの出力端子２１から出力した、２ポート構成の広帯域ＡＳＥ光源である。光アイソレータまでのＡＳＥ光発生のメカニズム・構成は第１の実施形態と同じであり、光アイソレータ１６を透過したランダムな偏波のＡＳＥ光は分離型偏光子２５に入射する。分離型偏光子２５でランダムな偏波のＡＳＥ光は、直交する偏波成分に分離され、それぞれが出力端子２１から出力される。
【００２４】
このように、２ポートの構成とすることで、１ポート出力では無駄にしていた約半分の他の直交偏波成分も有効に出力することができ、２台分の機能を持つことができる。
【００２５】
ここで、分離型偏光子２５はルチル、方解石等の複屈折結晶や、ガラスに誘電体多層膜を蒸着した偏光ビームスプリッタや、あるいは２本の偏波保持ファイバを溶融、延伸したカプラ型の偏光子が用いられる。
【００２６】
ここで分離型偏光子２５として複屈折結晶を用いた場合の、偏波分離の状態について説明する。複屈折結晶は平行平板で、その入射面の法線と複屈折結晶の光学軸とがある角度をもつように切り出されている。光の伝搬方向と複屈折結晶の光学軸を含む面（主断面と呼ぶ）に対し、垂直方向の直線偏波を常光線、平行方向の直線偏波を異常光線と呼ぶ。複屈折結晶の光学軸とは、結晶を構成する原子の配向に方向性であり、従って複屈折結晶内を伝搬する常光と異常光では光の伝搬する方向が異なり、偏波の分離が行われる。分離された偏波光をそれぞれ異なる２つファイバに結合させることにより、本発明に示した偏波の分離が実現する。また、ここで一方の偏波光のみを１つのファイバに結合した場合は、本発明の第１の実施例に示した吸収型偏光子と同様の効果を得ることができる。
【００２７】
他、ガラスに誘電体多層膜を蒸着した偏光ビームスプリッタの場合は、偏波方向によるブリュースター条件の違いを利用して偏波光の分離を行い、またカプラ型の偏光子の場合、２本のファイバの溶融部での偏波方向による伝搬定数の違いを利用して偏波光の分離を行う。
【００２８】
図４は本発明の第３の実施形態を示す構成図である。
【００２９】
偏光子１５は図中点線で示す光軸を中心に回転可動であり、その回転状態により所望の直線偏波光を取り出すことができる。また、偏光子１５を透過した所望の直線偏波光は、所定の割合で分岐させ出射する光分岐手段２２を透過し、前記光分岐手段２２の一端に配置され、前記光分岐手段２２から出射される直線偏波のＡＳＥ光を測定する光測定手段２３とを備える。
【００３０】
たとえば光分岐手段２２は５％分岐比で、２本の光ファイバを溶融・延伸したのカプラ型の分岐器や、誘電体多層膜からなるモジュール型の分岐器から構成される。またＡＳＥ光を測定する光測定手段２３は、光の受光量を電流値に変換するフォトダイオードが用いられる。さらに励起光源１１は測定手段２３の受光パワーが一定となるように、自動的に出力をコントロールされる。
【００３１】
以上説明したように、偏光子１５の回転可動機構と光測定手段による励起光源のオートパワーコントロール機能を付加することにより、本発明の広帯域ＡＳＥ光源は、所望の直線偏波光を常に一定の出力で得ることができる。
【００３２】
図５は本発明の広帯域ＡＳＥ光源を用いた第１の測定例である。
【００３３】
広帯域ＡＳＥ光源１０から出射した直線偏波は偏波スクランブラ３１に接続することにより、時間的にランダムに様々な偏波状態が発生し、被測定物３３に入射する。被測定物から出射した光はパワーメータ３２で受光し、ある特定時間内での最大受光量と最小受光量の差を求めることにより、被測定物３３の偏波依存ロスを測定することができる。
【００３４】
ここで偏波スクランブラ３１は、それぞれ独立に保持された１／２波長板と１／４波長板を回転させたり、あるいは光ファイバを複数のループ束として、捻り、回転等の可動により、数秒間で連続的に多数の偏波光を発生させる装置である。
【００３５】
偏波スクランブラ３１への入射光の直線偏光度が低い場合、偏波スクランブラ３１で様々な偏波状態の光を発生させることができなくなり、十分な精度で被測定物３３の偏波依存ロスを測定することができなくなる。従って本発明の直線偏波光の広帯域ＡＳＥ光源１０を光源として用いることにより、非常に精度の良い測定が可能となり、また測定時間も数秒で終了する。
【００３６】
図６は本発明の広帯域ＡＳＥ光源を用いた第２の測定例である。
【００３７】
一般に広帯域ＡＳＥ光源は、光の波長とパワーを計測する光スペクトラムアナライザと組合せて、被測定物の損失の波長特性を測定するための光源として用いられる。ここでは第３の実施形態に示した広帯域ＡＳＥ光源３０と光スペクトラムアナライザ３４を用いて、被測定物の損失の波長特性に加え、偏波依存性を簡易的に測定する系について説明する。
【００３８】
広帯域ＡＳＥ光源３０は所望の直線偏波光を出力することができ、かつその出力パワーは一定である。広帯域ＡＳＥ光源から出力された広帯域な直線偏波光は被測定物３３を透過し、光スペクトラムアナライザ３４で受光され、被測定物の損失波長特性を測定する。さらに広帯域ＡＳＥ光源３０の出力偏波状態を変え、同様に光スペクトラムアナライザ３４で損失波長特性を測定する。これを、偏光子の透過偏波方向１８０度の範囲で数点測定し、測定の最大値からと最小値を引き、被測定物３３の損失偏波依存性の波長特性を測定することができる。
【００３９】
本測定法によれば、被測定物の波長特性と偏波依存性を同時に測定が可能で、その測定時間を大幅に少なくすることができる。
【００４０】
図７は本発明の広帯域ＡＳＥ光源を用いた第３の測定例である。
【００４１】
本発明の広帯域ＡＳＥ光源３０と、光スペクトラムアナライザ３４と、その間に配置される偏波アナライザ３５からの組合せによる偏波モード分散（Ｐｏｌａｒｉｚａｔｉｏｎ　Ｄｅｐｅｎｄａｎｔ　Ｌｏｓｓ：ＰＭＤ）の測定で、固定アナライザ法と呼ばれるものである。広帯域ＡＳＥ光源３０から出力された直線偏波光は、被測定物３３の持つＰＭＤにより、光の偏波成分により遅延が発生し、被測定物３３からの出力光は波長周期を持つ楕円偏波となる。この波長周期を偏波アナライザにより光パワーに変換し、光スぺクトラムアナライザにより測定し、被測定物のＰＭＤを計算することができる。
【００４２】
固定アナライザ法はこの波長周期を位相差２πとして、最初のピーク波長λ１と隣り合うピーク波長λ２を用いて、ＰＭＤ値を（１）式にて算出することができる。なおＣは光速で２．９９８×１０８ｍ／ｓである。
【００４３】
ＰＭＤ＝（λ１×λ２）／（Ｃ×（λ２−λ１））　　　（１）
本発明の広帯域ＡＳＥ光源３０は広帯域で、光パワーが大きくかつ一定で、さらに様々な直線偏波を容易に出力することができるため、ＰＭＤの測定系をより簡易化することができる。また、本発明の広帯域ＡＳＥ光源を測定光源に用いることにより、測定の波長範囲は広くなり、ＰＭＤの測定精度が向上する利点がある。
【００４４】
ここで偏波依存ロスやＰＭＤを測定する被測定物は、たとえば光ファイバカプラや光アイソレータ等のパッシブデバイスや、偏波保持ファイバ等の光ファイバである。
【００４５】
なお、本実施形態では反射ミラーを用いた高効率・広帯域な広帯域ＡＳＥ光源の構成を示したが、本発明はこれに限ることなく、希土類添加ファイバに励起光を入射しその自然放出光を出力するすべてのＡＳＥ光源について同様の効果を得ることができる。
【００４６】
また偏光子１５は、吸収型偏光子や複屈折結晶にレンズと入出射光ファイバポートを接続したインラインタイプの構成や、出力端子２１に直接偏光子１５を内蔵した構成や、あるいは光アイソレータ１６に偏光子１５を内蔵した構成等、その実装方法は様々である。
【００４７】
【実施例】
本発明の広帯域ＡＳＥ光源の実施例として図４に示した広帯域ＡＳＥ光源の試作を行った。各部品と構成について以下に説明する。
【００４８】
励起光源１１は波長１．４８μｍで約１２０ｍＷの光出力とした。光合分波器１４はファイバ融着延伸型のもので、１．４８μｍ帯と１．５８μｍ帯の光を合波分波する機能を有する。希土類添加光ファイバ１２は、１．５５μｍ帯光の再吸収のために、十分長尺のものを用い、本試作では約８０ｍの長さとした。反射器１３は誘電体多層膜と光ファイバから構成された、反射率が９０％以上の製品を用いた。出力端子２１と光合分波器１４の間には、２段型偏波無依存型光アイソレータ、回転調整機構を付加した偏光子１５、直線偏波のＡＳＥ光を５％分岐するモニタカプラ２２、５％の分岐光を受光するフォトダイオード２３を配置した。また、フォトダイオード２３の受光量が一定となるよう、励起光源１１の出力は調整されている。出力端子２１はＦＣ／ＳＰＣコネクタからなり、４５ｄＢ以上の反射減衰量を有する。
【００４９】
図８は試作した本発明の広帯域ＡＳＥ光源のスペクトラム波形である。
【００５０】
ＡＳＥ光のトータル出力は＋１２ｄＢｍであり、従来のＡＳＥ光源から３ｄＢほど出力は低下したが、測定には十分なパワーであった。また、偏光子１５の１８０度の範囲で５度毎に回転させ３６ポイントのトータル出力とスペクトラム波形を測定した。この結果、トータル出力の変動値は０．０１ｄＢ以下、スペクトラム波形の最大変動値は１５３０〜１６１０ｎｍの範囲で０．０５ｄＢ以下であり、広帯域で出力が非常に安定し、かつ偏波回転可能な広帯域ＡＳＥ光源が実現した。
【００５１】
次に試作した広帯域ＡＳＥ光源３０を用いて図７に示すＰＭＤの測定を行った。
【００５２】
被測定物３３は長さ２０ｋｍのシングルモードファイバを用いた。まずは偏波アナライザ３５なしでリファレンスデータを測定する。次に偏波アナライザ３５を光スペクトラムアナライザ３４の直前に配置し測定データを記録する。この測定データからリファレンスデータを引いた値をＰＭＤデータとして取り込む。ＰＭＤデータはある波長周期を持ったデータとなり、その振幅が最大となるように、広帯域ＡＳＥ光源３０に内蔵された偏光子１５と偏波アナライザ３５を回転調整する。
【００５３】
図９は測定されたＰＭＤデータである。
【００５４】
データから、ピーク波長λ１＝１５４０ｎｍ、ピーク波長λ２＝１５８０ｎｍ、周期λ２−λ１＝４０ｎｍを読み込み、（１）式に代入しＰＭＤを算出した結果、被測定物である２０ｋｍのシングルモードファイバのＰＭＤは０．２０３ｐｓと測定された。
【００５５】
このようにＰＭＤの測定が本発明の広帯域ＡＳＥ光源を用いることにより、容易に測定することができた。
【００５６】
【発明の効果】
以上、発明によれば、励起光を発生する励起光源と、励起光を入射することでＡＳＥ光を発生する希土類添加光ファイバと、前記希土類添加光ファイバと前記励起光源との間に配置され、励起光とＡＳＥ光を合波、分波する光合分波器と、前記ＡＳＥ光の出力端に光アイソレータとを備えた広帯域ＡＳＥ光源において、前記ＡＳＥ光を直交する直線偏波成分に分離あるいは吸収する機能を有する光デバイスを備えることで、広帯域で所望の直線偏波光を容易に得ることができる。また本発明の広帯域ＡＳＥ光源を用いて被測定物の挿入損失偏波依存性、波長依存性、ＰＭＤ等の特性を容易に測定できる効果がある。
【図面の簡単な説明】
【図１】本発明の広帯域ＡＳＥ光源の実施形態を示す構成図である。
【図２】偏光子１５に入出射するＡＳＥ光の偏波状態を示した図である
【図３】本発明の第２の実施形態を示す構成図である。
【図４】本発明の第３の実施形態を示す構成図である。
【図５】本発明の広帯域ＡＳＥ光源を用いた第１の測定例である。
【図６】本発明の広帯域ＡＳＥ光源を用いた第２の測定例である。
【図７】本発明の広帯域ＡＳＥ光源を用いた第３の測定例である。
【図８】試作した本発明の広帯域ＡＳＥ光源のスペクトラム波形である。
【図９】本発明の偏波分散測定装置を用いて測定されたＰＭＤデータである。
【図１０】従来の広帯域ＡＳＥ光源の構成を示す図である。
【符号の説明】
１０、２０、３０、１００：広帯域ＡＳＥ光源
１１、１０１：励起光源
１２、１０２：希土類添加光ファイバ
１３、１０３：反射器
１４、１０４：光合分波器
１５、：偏光子
１６、：光アイソレータ
１７：入射光
１８：出射光
１９：透過偏波方向
２１：出力端子
２２：光分岐手段
２３：光測定手段
２５：分離型偏光子
３１：偏波スクランブラ
３２：パワーメータ
３３：被測定物
３４：光スペクトラムアナライザ
３５：偏波アナライザ
【図１】
2004119652.tif 000003
【図２】
2004119652.tif 000004
【図３】
2004119652.tif 000005
【図４】
2004119652.tif 000006
【図５】
2004119652.tif 000007
【図６】
2004119652.tif 000008
【図７】
2004119652.tif 000009
【図８】
2004119652.tif 000010
【図９】
2004119652.tif 000011
【図１０】
2004119652.tif 000012